(57)【特許請求の範囲】
【請求項１】
被係止部材の係止部分を入れた略Ｖ字状の係止具を導入するための、底部が拡大した凹陥溝を巾方向の中央辺へ上端部から胴部に至る程度に設けると共に該凹陥溝の両側へ適宜巾の支持部を設けた一対の支持板を形成し、該夫々の支持板を基台へ所定の間隔を置いて且つ対向して立設させ、該夫々の支持板の対向する支持部の間へ円柱状の回転ローラを夫々配置すると共に該回転ローラの軸部を夫々の支持部へ軸支させ、該夫々の回転ローラの凹陥溝側に突出するローラ面間の間隔を該回転ローラ間で前記係止具が圧着され且つ係止具が通過できる間隔に設定した、係止具を被係止部材の係止部分に取り付ける係止具取付装置。
【請求項２】
前記回転ローラの両側面の周縁へローラ面より若干突出するガイドリムを設けた請求項１に記載の係止具取付装置。
【請求項３】
前記係止具が風船の口管部分の封止具、袋体の封止具、又は電線の結束具である請求項１又は２記載の係止具取付装置。
【請求項４】
前記係止具が、突起部を有する押圧部材の基端部と、該突起部と係合する溝部を有する受部材の基端部とを薄肉ヒンジで一体的に連結してなる請求項１乃至３のいずれか１項記載の係止具取付装置。
【請求項５】
前記凹陥溝は上方部に略Ｖ字状のテーパー面を有する請求項１乃至４のいずれか１項記載の係止具取付装置。
【発明の詳細な説明】
【０００１】
【産業上の利用分野】
本発明は、主として、風船等を膨らませた後に、その口管部分を封止する目的で使用される係止具の取付装置に関するものであり、広義には、突起部と溝部との係合で取付ける形式の各種の圧着型の係止具を回転ローラ間へ挿通するだけの簡易な操作で、容易に且つ円滑に圧着できる取付装置に関するものである。
【０００２】
【従来の技術】
従来より、膨らませた風船やヨーヨー風船等の口管部分を封止する際には、口管自体を引き伸ばして縛ったり、或いは、紐で締めつける等の作業が行われていたが、この種の手作業は、手間や時間かがかかり、熟練した技術を要するものであった。
【０００３】
【発明の解決しようとする課題】
そこで、本発明者は、先の出願において、２つの弾性部材の基端部を枢動可能に一体的にヒンジ連結し、夫々の部材間に風船の口管部を挟み込み、その両先端部分を外側から押圧して相互に係合させることによって風船の口管部分を確実に封止できる圧着型の係止具を発明した。
【０００４】
この圧着型の係止具は、図５に図示の如く、突起部１２ａを有する合成樹脂製の押圧部材１２と、溝部１３ａを有する合成樹脂製の受部材１３から成り、夫々の基端部を薄肉ヒンジ１４で一体的に連結させた略Ｖ字状の外観を有した係止具１１であり、特に、風船の口管部（図示せず）を完全に封止させるために、一方の部材の内面、図示の例では、受部材１３の内面に十字状の押圧突起１３ｂが設けられたものである。
【０００５】
【発明が解決しようとする課題】
ところで、この種の圧着型の係止具を使用すると、前述の如く、従来の手作業と比較して、より簡単に且つ確実に風船の口管部を封止できるが、係止具と風船等の被係止部材とを位置合わせしている状態で、圧着作業を行う必要があることから、ペンチ等の工具を使用した場合には、片手で係止具と被係止部材とを保持することとなり、不安定な取付作業となってしまう。そこで、この種の圧着型の係止具を利用する場合において、より作業性を改善できる専用の取付装置の開発が望まれていた。
【０００６】
【課題を解決するための手段】
本発明は、上記の事由に鑑みて、この種の圧着型の係止具の被係止部材の係止部分への取付装置として、一対の支持板と、この支持板を立設した基台と、一対の円柱状の回転ローラとで構成された取付装置を開示した。
【０００７】
これにより、係止具の被係止部材の係止部分への取付作業は、両手で係止具と風船等の被係止部材の係止部分とを位置合わせしている状態で、回転ローラ間へ係止具を挿通させるだけで行えるため、作業性は飛躍的に改善され、この種の圧着型の係止具の利点を有効的に活かすことができる。
【０００８】
【発明の目的】
本発明の目的は、前述の如く、この種の圧着型の係止具を使用した場合の被係止部材への取付作業の効率を向上させる取付装置を提供することを目的とする。
【０００９】
【発明の構成】
本発明の請求項１の取付装置の構成は、被係止部材の係止部分を入れた略Ｖ字状の係止具を導入するための、底部が拡大した凹陥溝を巾方向の中央辺へ上端部から胴部に至る程度に設けると共に該凹陥溝の両側へ適宜巾の支持部を設けた一対の支持板を形成し、２つの部材間へ挿入した被係止部材を夫々の部材に設けた突起部と溝部との係合で圧着係止させる圧着型係止具の取付装置において、巾方向の中央辺へ上端部から胴部に至る程度の凹陥溝を設けると共に凹陥溝の両側へ適宜巾の支持部を設けた一対の支持板を形成し、夫々の支持板を基台へ所定の間隔を置いて且つ対向して立設させ、夫々の支持板の対向する支持部の間へ円柱状の回転ローラを夫々配置すると共に回転ローラの軸部を夫々の支持部へ軸支させ、夫々の回転ローラの凹陥溝側に突出するローラ面間の間隔を回転ローラ間で係止具が圧着され且つ係止具が通過できる間隔に設定した構成であり、請求項２の取付装置の構成は、回転ローラの両側面の周縁へローラ面より若干突出するガイドリムを設けた構成である。
【００１０】
【実施例】
斯る目的を達成した本発明を以下の実施例の図面により説明する。
【００１１】
図１は、本発明の第１実施例の取付装置の正面概要図であり、図２は、本発明の第１実施例の取付装置の側面概要図であり、図３は、本発明の第２実施例の取付装置の正面概要図であり、図４は、本発明の第２実施例の取付装置の側面概要図であり、図５は、本発明の取付装置に使用される係止具の概要図である。
【００１２】
本発明の圧着型の係止具の被係止部材の係止部分への取付装置は、主として、風船等を膨らませた後に、その口管部分を封止する目的で使用される係止具のその口管部分への取付装置であるが、広義には、被係止部材の種類に係らず、例えば、袋体の封止具、電線の結束具、コネクター等のこの種の圧着型の係止具の全てに応用できる取付装置であり、請求項１の取付装置は、図１及び図２に図示の如く、巾方向の中央辺へ上端部から胴部に至る程度の凹陥溝１ｂを設けると共に該凹陥溝１ｂの両側へ適宜巾の支持部１ａ、１ａを設けた一対の支持板１、１を形成し、該夫々の支持板１、１を基台２へ所定の間隔を置いて且つ対向して立設させ、該夫々の支持板１、１の対向する支持部１ａ、１ａの間へ円柱状の回転ローラ３、３を夫々配置すると共に該回転ローラ３の軸部４を夫々の支持部１ａ、１ａへ軸支させ、該夫々の回転ローラ３、３の凹陥溝１ｂ側に突出するローラ面３ａ、３ａの間隔を該回転ローラ３、３間で前記係止具が圧着され且つ係止具が通過できる間隔に設定したことを要旨とし、請求項２の取付装置は、図３及び図４に図示の如く、前記回転ローラ３、３の両側面の周縁へローラ面３ａより若干突出するガイドリム３ｂ、３ｂを設けたことを要旨とするものである。
【００１３】
即ち、本発明の各実施例の取付装置は、図１乃至図４に図示の如く、主として、硬質の合成樹脂等で形成された、一対の支持板１．１と、支持板１．１を立設する基台２と、支持板１．１の支持部１ａ．１ａ間へ配置された円柱状の回転ローラ３．３から構成されている。
【００１４】
図１及び図２に図示の第１実施例の取付装置に則して説明すると、前記支持板１．１は、全体として長矩形状の板材から成り、巾方向の中央辺へ上端部から胴部に至る程度の凹陥溝１ｂが設けられている。この凹陥溝１ｂは、上方向から圧着前の広がった係止具を円滑に挿通させるために、上方部に略Ｖ字状のテーパー面を有すると共に、中間部は圧着時の係止具を垂直方向へ導く程度にやや狭い巾で、底部は係止具を水平方向に余裕を持って取出せる程度にやや広い巾で形成されている。
【００１５】
そして、前記支持板１．１の凹陥溝１ｂの両側へは、一対の円柱状の回転ローラ３．３を夫々支持できる程度の適宜な巾と厚みを有した支持部１ａ．１ａが設けられている。
【００１６】
前記夫々の支持板１．１は、取付装置が自立できるように矩形状の基台２上へ回転ローラ３のローラ面３ａの巾程度の間隔を置いて且つ対向して一体的に立設されており、該夫々の支持板１．１の対向する支持部１ａ．１ａの間へ回転ローラ３．３の軸部４が適宜な手段により回転可能に軸支されている。
【００１７】
前記回転ローラ３．３の凹陥溝１ｂ側に突出するローラ面３ａ．３ａの間隔は、係止具を凹陥溝１ｂの上方向から底部方向へ通過させた際に、前記ローラ面３ａ．３ａ間で圧着され且つ係止具が凹陥溝１ｂの底部方向へ通過できる間隔に設定されている。
【００１８】
そして、図３及び図４に図示の第２実施例の取付装置においては、前記回転ローラ３．３の両側面の周縁へローラ面３ａより若干突出するガイドリム３ｂ．３ｂが設けられている。
【００１９】
本発明の取付装置を使用するには、先ず、取付装置の基台２部分を机等の水平面へ接地して使用する。
【００２０】
次に、例えば、図５に図示の係止具１１内へ被係止部材の係止部分、及び、被係止部材がヨーヨー風船であれば、糸ゴム等と共に位置合わせした後、係止具１１の両側に位置する被係止部材を両手で保持しながら、この係止具１１を支持部１ａ．１ａの間、即ち、凹陥溝１ｂの上方から回転ローラ３．３のローラ面３．３間へ導入する。この際、第２実施例の取付装置では、回転ローラ３．３の両側面の周縁へローラ面３ａより若干突出するガイドリム３ｂ．３ｂが設けられているため、ローラ面３ａ上での係止具１１の位置合わせが極めて容易である。
【００２１】
次に、この状態から下方向へ力を作用させると、回転ローラ３．３が回転して係止具１１が下方向へ移動すると共に、該係止具１１の外面が夫々のローラ面３ａ．３ａの最も狭まった位置で押圧され圧着される。尚、この際のローラ面３ａの押圧力を高めるには、夫々のローラ面３ａ．３ａの間隔を圧着時の係止具１１の巾より若干狭く設定すれば良いが、これは、係止具１１の弾性力や支持部１ａの弾性力を考慮して適宜に設定されるものである。
【００２２】
前記ローラ面３ａ、３ａ間を通過した係止具１１は、圧着された状態で凹陥溝１ｂの底部へ至り、水平方向へ引き抜かれて作業が終了する。
【発明の効果】
本発明の取付装置は、前述の如く構成したものであり、係止具の被係止部材の係止部分への取付作業は、両手で係止具と風船等の被係止部材の係止部分とを位置合わせしている状態で、夫々の回転ローラ間へ係止具を挿通させるだけで行えるため、極めて簡単な操作で取付作業を行うことができる。従って、この種の圧着型の係止具の全てに応用できることは勿論のこと、前述の係止具の利点を有効的に活かすことができ、その結果、特に、風船の口管部分を固定する作業等が確実に且つ迅速に行なえる等の効果を有した画期的で且つ有意義な発明である。
【図面の簡単な説明】
【図１】本発明の第１実施例の取付装置の正面概要図である。
【図２】本発明の第１実施例の取付装置の側面概要図である。
【図３】本発明の第２実施例の取付装置の正面概要図である。
【図４】本発明の第２実施例の取付装置の側面概要図である。
【図５】本発明の取付装置に使用される係止具の概要図である。
【符号の説明】
１    支持板
１ａ  支持部
１ｂ  凹陥溝
２    基台
３    回転ローラ
３ａ  ローラ面
３ｂ  ガイドリム
４    軸部
【図１】
0003615830.tif 000002
【図２】
0003615830.tif 000003
【図３】
0003615830.tif 000004
【図４】
0003615830.tif 000005
【図５】
0003615830.tif 000006